(57)【要約】【課題】本考案は杖に力を入れて片足を前へ蹴り出す場合に、石突き部の底面が徐々に地面に近付いて接地され、地面から離れる際には略完全に地面に底面が接地して滑りにくくなり、杖の転倒を避け、且つ、杖を前に出す際、容易に石突き部が前に振り出される杖を提供することを目的とする。【解決手段】棒状の杖本体１と、該杖本体１の上端部を湾曲した握部２と、杖本体１の下端部を、握部２と同じ方向に湾曲した石突き部３と、から少なくとも構成し、且つ、石突き部３の太さＢを、杖本体１の太さＡよりも太くすると共に、石突き部３の底面31を傾斜面に形成する。また石突き部３に錘を設けると良く、石突き部３を交換可能な構造としても良い。又、杖本体１と握部２及び石突き部３を一体にするのが好ましい。【選択図】図１
0003215644.tif 000002
【実用新案登録請求の範囲】
【請求項１】
棒状の杖本体（１）と、該杖本体（１）の上端部を湾曲した握部（２）と、前記杖本体（１）の下端部を、前記握部（２）と同じ方向に湾曲した石突き部（３）と、から少なくとも構成し、且つ、前記石突き部（３）の太さを、前記杖本体（１）の太さよりも太くすると共に、前記石突き部（３）の底面（31）を傾斜面に形成したことを特徴とする杖。
【請求項２】
前記石突き部（３）に錘（４）を設けた請求項１記載の杖。
【請求項３】
前記杖本体（１）と前記握部（２）及び前記石突き部（３）が一体である請求項１記載の杖。
【請求項４】
前記石突き部（３）が交換可能である請求項１又は２記載の杖。
【考案の詳細な説明】
【技術分野】
【０００１】
本考案は歩行する際に用いる歩行用杖に関し、特には重心を石突き部側へ近付けた杖に関する。
【背景技術】
【０００２】
一般的な杖は、直線状の杖本体の上部に握部を形成すると共に、杖本体の下部に石突き部を形成したものが大半であり、その目的は、高齢者や肢体不自由者が使用して、歩行時に体を支えるものである。しかしながら、特に高齢になると、握力や筋力が低下して、杖を握って歩行する際、杖を前に出す操作がスムーズに行いにくくなる。従って、杖が倒れ易くなると共に歩行者も転倒し易くなっていた。また石突きの接地面（底面）が杖の軸心と略直角であるためと、接地後、片足を前へ蹴り出す場合、杖を傾けて力を入れると、平らな底面が、地面から浮いて一部の接地となって滑り易くなり、杖が不安定になり易かった。
【０００３】
このため、杖自体を安定させたものとして、杖が自立するものや車輪を付けたものなど多くの提案がされている。しかしながら、これらは歩行時に、直線状の杖に比べると、杖の自重が重くなり、且つ、操作しにくくなるなどの問題があった。
【０００４】
尚、杖の上部を、折曲して略水平にした握部としては、特開平８−８９３２２号「ステップ台付き杖」が提案されている。これは、歩行時に体を支えると共に、必要時に簡易な操作で階段歩行の助けをするものである。
【先行技術文献】
【特許文献】
【０００５】
【特許文献１】特開平８−８９３２２号公報
【考案の概要】
【考案が解決しようとする課題】
【０００６】
本考案は杖に力を入れて片足を前へ蹴り出す際に、石突き部の底面が地面へ略完全に接地して滑りにくくなり、杖の転倒を避け、且つ、杖を前に出す際、容易に石突き部が前に振り出される杖を提供することを目的とする。
【課題を解決するための手段】
【０００７】
本考案は上記現状に鑑みて成されたものであり、つまり、棒状の杖本体と、該杖本体の上端部を湾曲した握部と、杖本体の下端部を、握部と同じ方向に湾曲した石突き部と、から少なくとも構成し、且つ、石突き部の太さを、杖本体の太さよりも太くすると共に、石突き部の底面を傾斜面に形成する。また石突き部に錘を設けると良く、石突き部を交換可能な構造としても良い。又、杖本体と握部及び石突き部を一体にするのが好ましい。
【考案の効果】
【０００８】
請求項１のように棒状の杖本体（１）と、該杖本体（１）の上端部を湾曲した握部（２）と、杖本体（１）の下端部を、握部（２）と同じ方向に湾曲した石突き部（３）と、から少なくとも構成し、且つ、石突き部（３）の太さを、杖本体（１）の太さよりも太くすることにより、石突き部（３）が重くなって重心を下げることができると共に杖本体（１）の軸心からずれるため、手首を少し持ち上げて、杖本体（１）を前方へ振ると、石突き部（３）に回転力（押出す力）が働き、それを容易に前方へ振り出すことが可能となるので、杖の操作がし易くなる。又、石突き部（３）の底面（31）を前上がりの傾斜面に形成することにより、前に移動すると共に杖本体（１）が前に傾いていくと、石突き部（３）の底面（31）が徐々に地面に近付いて接地され、地面から離れる際には略完全に底面（31）が接地して滑りにくくなり、杖の転倒を避け、且つ、杖に力が入り易くなるので、杖が安定する。
【０００９】
請求項２のように石突き部（３）に錘（４）を設けることにより、杖の重心が石突き部（３）の近くに下げることができるため、握部（２）を支点にして石突き部（３）が容易に回転し易くなり、使用者は少しの力で杖の石突き部（３）を前方へ振り出すことができる。
【００１０】
請求項３に示すように杖本体（１）と握部（２）及び石突き部（３）を一体にすることにより、製造コストを下げることができ、安価に提供できる。
【００１１】
請求項４に示すように石突き部（３）を交換可能にすることにより、石突き部（３）が摩耗や損傷した際に、新しい石突き部（３）と交換すれば、杖の耐久寿命を長くすることができる。
【図面の簡単な説明】
【００１２】
【図１】本実施形態を示す説明図である。
【図２】本考案の別実施形態を示す説明図である。
【図３】本考案の別実施形態の詳細を示す説明図である。
【図４】本考案の作用を示す説明図である。
【考案を実施するための形態】
【００１３】
本考案の実施形態を図１に基づいて説明する。（１）は直線状の杖本体であり、該杖本体（１）には、丸棒，角材，パイプ材などの木製，合成樹脂製，金属製などの材料を用いる。又、前記杖本体（１）の長さは、身長に応じて数種類用意しておく。
【００１４】
（２）は杖本体（１）の上端部を、図中に示すように左側へ湾曲した握部であり、該握部（２）は、握った時に杖全体が前へ傾き易いように湾曲されている。又、この湾曲を設けると、腕を曲げた時に自然に握れる位置となり、手首の負担が軽くなる。
【００１５】
（３）は杖本体（１）の下部を握部（２）と同じ方向に湾曲し、更に下端部を垂直に形成した石突き部であり、該石突き部（３）の太さ（Ｂ）は、杖本体（１）の太さ（Ａ）よりも太くする。前記石突き部（３）を太くする理由は、石突き部（３）の重量を重くし、杖全体の重心を下げる役目を果たす。又、前記石突き部（３）の底面（31）は、図中に示すように右下がりの傾斜面に形成されている。この右下がりの傾斜は、杖を突いて前へ出す時に、底面（31）が地面に略密着状態となる傾斜とするのが好ましい。この傾斜は、杖を滑りにくくし、且つ、安定した状態で歩行が可能となる役目を果たす。
尚、前記杖本体（１），握部（２），石突き部（３）は、木製で一体に形成するのが好ましいが（図１参照）、これに限定されるものではない。
【００１６】
図２は本考案の別実施形態を示す図であり、前記実施形態と比べ、石突き部（３）に金属製や比重の高い材料の錘（４）が設けられており、且つ、該石突き部（３）が交換可能である。他の部品は同じである。尚、前記石突き部（３）に錘（４）を設ける場合は、錘（４）を石突き部（３）の内部に埋設、或いは外部に接着など一般的な手法で設ければ良く、前記石突き部（３）を交換可能にするため、杖本体（１）の下部に石突き部（３）を差し込み、或いは取付けた構造とする。
【００１７】
次に本考案の作用について説明する。先ず本考案品は図３に示すように、握部（２）が杖本体（１）の軸心（図中の一点鎖線）から左側にａ度傾いている。又、石突き部（３）が杖本体（１）の軸心から左側にｂ度傾いていると共に杖本体（１）の軸心からｃ偏心している。更に石突き部（３）の底面（31）が右下がりにｄ度傾斜している。
【００１８】
又、本考案品を使用する場合は、先ず使用者が握部（２）を手に握ると、図４（ａ）のように杖本体（１）は略垂直に立設する。この時、使用者が握部（２）を握ると、体が前に出易くなる。また石突き部（３）の底面（31）は、図中の如く右側だけが地面に接地された状態になる。更に、杖の重心が従来品よりも下がり、且つ、杖本体（１）の軸心より左側に位置する（図３参照）。この結果、石突き部（３）には前側（図中左側）に力が作用する。更に使用者が前に出ると、図４（ｂ）の一点鎖線のように杖本体（１）は傾斜すると共に石突き部（３）の底面（31）は地面に近付いていく。そして杖を突き替える寸前には、握部（２）は図４（ｃ）の二点鎖線のように杖本体（１）が傾斜されると共に石突き部（３）の底面（31）全体が地面に略接地する。このため、杖を突き替えて前へ押出する際には、効率良く力が地面に伝達され、且つ、杖の滑りが殆どなく安定した状態で足が前へ蹴り出される。
【００１９】
次に握部（２）を少し持ち上げ、且つ、杖を前（図中左側）に振り戻す際は、前記に示したように、杖の重心が下方にあり、且つ、杖本体（１）の軸心より左側（前側）に位置している。このため、石突き部（３）を前側に押出す際は、握部（２）を支点として回転力が働くので、小さな力で容易に石突き部（３）が前方へ押出（振り出）されるのである。
その後、前方の適宜位置に石突き部（３）を接地させて歩行を続行させれば良い。従って、本考案品を用いれば、杖を突く際に石突き部（３）が地面に対して滑りにくくなり、杖の操作がスムーズに行えるため、安心して歩行ができると共に杖の石突き部（３）をリズミカルに突くことができるので、体が前傾きにならずに歩行することが可能となり、転倒防止にもなる。
【符号の説明】
【００２０】
１  杖本体
２  握部
３  石突き部
31  底面
４  錘
【図１】
0003215644.tif 000003
【図２】
0003215644.tif 000004
【図３】
0003215644.tif 000005
【図４】
0003215644.tif 000006